Podtech/llm-jp-corpus-v4-ja_patent huggingface dataset:
(57)【要約】【課題】軸を折ったり、潰す等の作業が必要になる。【解決手段】少なくとも一端が開口端２の軸体１内に液体Ｗを封入すると共に、軸体１内の開口端２側に密閉材３を設けて口部Ａを形成し、該口部Ａに尖端部５を形成した栓体４をスライド可能に挿設すると共に、該栓体４及び軸１の端部を綿体７で覆って綿棒を形成する。そして、綿棒における綿体７の上から栓体４を押すと、該栓体４の尖端部５により密閉材３が破れ、液体Ｗが栓体４に含浸、通過したり、栓体４及び軸体１の隙間を通って、綿体７が湿潤するため、液体Ｗが手、衣服に付着しない。【選択図】        図１
2004337284.tif 000002
【特許請求の範囲】
【請求項１】
少なくとも一端が開口端の軸体内に液体を封入すると共に、軸体内の開口端側に密閉材を設けて口部を形成し、該口部に尖端部を形成した栓体をスライド可能に挿設すると共に、該栓体及び軸の端部を綿体で覆ったことを特徴とする綿棒。
【請求項２】
軸体に内装した筒体内に上記液体を充填し、筒体の側端部を密閉材で封鎖したことを特徴とする請求項１記載の綿棒。
【発明の詳細な説明】
【０００１】
【発明の属する技術分野】
本発明は、水、アルコール類、殺菌消毒薬、水虫薬、除光液、ベビーオイル、ＡＶ機器のヘッドクリーナー等を塗布するために使用する綿棒に関する。
【０００２】
【従来の技術】
従来、かかる綿棒としては、一端を密閉すると共に他端を開放端とし、該開放端側から内部に退いた状態で液体を封入すると共に一端側に切り込みを形成した小径パイプを備え、該開放端に封入された液体から隔離された状態で綿塊を設けて形成した綿棒パイプがあり、綿塊を下方に向け、小径パイプの密閉端側を切り込みを利用して折って密閉端側を通気させることで、液体を開放端から滲出させて綿塊に吸収させる様にしている（例えば、特許文献１参照）。
又、綿棒の棒部がストローで、該ストロー内に、薬液などの液体を注入すると共に片端部を完全に封し、綿部側を栓弁で封した綿棒があり、ストローの外側から栓弁を指で潰すことで、薬液が潰れた栓弁の隙間を通って、綿部に浸透させる様にしている（例えば、特許文献２参照）。
【０００３】
【特許文献１】
特許第３３８２２３９号公報（請求項１０、第５頁、図３、４）
【特許文献２】
実開平６−２３５１９号公報（実用新案登録請求の範囲、第３頁、図１、２）
【０００４】
【発明が解決しようとする課題】
しかし、上記従来技術にあっては、軸を折ったり、潰す作業が必要で甚だ面倒であり、特に軸を折るタイプのものは、折る際の液漏れにより液体が手、衣服に付着し易いなど、解決せねばならない課題があった。
【０００５】
【課題を解決するための手段】
本発明は、上記従来技術に基づく、軸を折ったり、潰す等の作業が必要になる課題に鑑み、少なくとも一端が開口端の軸体内に液体を封入すると共に、軸体内の開口端側に密閉材を設けて口部を形成し、該口部に尖端部を形成した栓体をスライド可能に挿設すると共に、該栓体及び軸の端部を綿体で覆って綿棒を形成し、該綿棒における綿体の上から栓体を押すと、該栓体の尖端部により密閉材が破れ、液体が栓体に含浸、通過したり、栓体及び軸体の隙間を通って綿体を湿潤させる様にして、上記課題を解決する。
【０００６】
【発明の実施の形態】
以下本発明の一実施例を図面に基づいて説明する。
本発明に係る綿棒における中空状の軸体１の少なくとも一端を開口端２とすると共に、軸体１内に液体Ｗを充填し、軸体１内における開口端２側に破れ易い薄膜状の密閉材３を設けて口部Ａを形成し、軸体１内に液体Ｗを封入している。
上記口部Ａに栓体４をスライド可能に挿設し、該栓体４の外端部を軸体１の開口端２より突出させると共に、内端部を尖端部５とし、該尖端部５の内側直近に密閉材３が位置する様にしている。又、栓体４は中間部より外側部位を太く形成して、栓体４をスライドさせる際に、その境界段部６が軸体１の端面に当接する様にしている。
又、栓体４及び軸体１の端部を覆う様に綿体７を設けている。
【０００７】
尚、図１に示す綿棒にあっては、軸体１の両端部に栓体４及び綿体７を有しているが、図２に示す様に、一端部だけを開口端２として栓体４及び綿体７を設ける様にしても良い。
又、軸体１内に封入する液体Ｗは、図１に示す様に、軸体１に内装する細長状の筒体８内に充填し、該筒体８における栓体４側の側端部を上記密閉材３で封鎖したり、或いは、図２に示す様に、軸体１内に液体Ｗを直接充填して密閉材３で封入する様にしている。
又、栓体４にあっては、それ自体が液体透過性を有する材料で形成され、例えば繊維集合体を加圧成形することで形成している。しかし、栓体４は必ずしも液体透過性材料で形成する必要は無く、栓体４に細孔（図示せず）を設けたり、或いは栓体４の外周部及び／又は軸体１の内周面に溝（図示せず）を設けることで、栓体４と軸体１の隙間を液体Ｗが通過する様にしても良い。
【０００８】
次に本発明に係る綿棒の作用について説明する。
綿体７の外側から栓体４を押すと、該栓体４が軸体１に対しスライドして、その尖端部５で密閉材３が破かれて、液体Ｗが栓体４に含浸するか、栓体４と軸体１の隙間を通って、綿体７を湿潤させる様になっている。
【０００９】
【発明の効果】
要するに本発明は、少なくとも一端が開口端２の軸体１内に液体Ｗを封入すると共に、軸体１内の開口端２側に密閉材３を設けて口部Ａを形成し、該口部Ａに尖端部５を形成した栓体４をスライド可能に挿設すると共に、該栓体４及び軸１の端部を綿体７で覆ったので、単に綿体７外側から栓体４を押すだけで綿体７を湿潤させることが出来るため、液体Ｗが手、衣服等に付着せず、簡便に使用することが出来る。
又、軸体１に内装した筒体８内に上記液体Ｗを充填し、筒体８の側端部を密閉材３で封鎖したので、細い軸体１内に密閉材３を設ける工程が不要になるため、本発明に係る綿棒を簡単に製造することが出来、筒体８内に液体Ｗを封入状態で軸体１に内装するため、製造中に雑菌等が混入するおそれが全くなく、衛生面で良好な状態で製造することが出来る等その実用的効果甚だ大である。
【図面の簡単な説明】
【図１】本発明に係る綿棒の断面図である。
【図２】他の実施例の断面図である。
【符号の説明】
１  軸体
２  開口端
３  密閉材
４  栓体
５  尖端部
７  綿体
８  筒体
Ａ  口部
【図１】
2004337284.tif 000003
【図２】
2004337284.tif 000004
(57)【要約】【課題】うどん、そば、ラーメン、スパゲッティー、マカロニ、天ぷら等の茹で又は揚げ作業時にガスバーナーの火力を格別高めることなく茹で湯又は揚げ油の温度を高めることができるようにする。【解決手段】煙管部３を有する食品類茹で又は揚げ装置において、両端を開口５し、かつ一部が前記煙管部３内を経由してその両端を茹で槽又は揚げ槽１内の茹で湯又は揚げ油に臨む茹で湯又は揚げ油迂回用パイプ４を配設した。【選択図】        図１
2004337407.tif 000002
【特許請求の範囲】
【請求項１】
煙管部を有する食品類茹で又は揚げ装置において、両端を開口し、かつ一部が前記煙管部内を経由してその両端を茹で槽又は揚げ槽内の茹で湯又は揚げ油に臨む茹で湯又は揚げ油迂回用パイプを配設したことを特徴とする食品類茹で又は揚げ装置。
【発明の詳細な説明】
【０００１】
【産業上の利用分野】
この発明は、うどん、そば、ラーメン、スパゲッティー、マカロニ、天ぷら等の茹で又は揚げ作業時にガスバーナーの火力を格別高めることなく茹で湯又は揚げ油の温度を高めることができるようにした食品類茹で又は揚げ装置に関するものである。
【０００２】
【従来の技術】
うどん、そば、ラーメン、スパゲッティー、マカロニ、天ぷら等の茹で又は揚げ装置としてこれまで一般に用いられて業務用のものとしては茹で槽を箱状に形成したものと鍋状に形成したものが存在する。
【０００３】
そして箱状に形成した茹で槽又は揚げ槽にあっては、上部に茹で槽又は揚げ槽を形成し、この茹で槽の直下にガスバーナーを配設し、前記茹で槽又は揚げ槽の一方の側壁内に前記ガスバーナー部に通じる上部開放型の煙管部を形成されていた。
【０００４】
また鍋状の茹で槽又は揚げ槽にあっては、茹で鍋又は揚げ鍋を架台の上にセットするとともに、茹で鍋又は揚げ鍋の直下にガスバーナーを配設し、かつ茹で鍋又は揚げ鍋をセットした架台の上面に凹部を形成し、この凹部を煙管部の出口として使用していたのである。
【０００５】
【発明が解決しようとする課題】
そのため、茹で槽又は揚げ槽内の水又は湯又は揚げ油はガスバーナーからでる炎の火力により温められるが、ガスバーナーより発する熱の多くは煙管部を経由して外部に放散することなり熱の多くは無駄を強いられる結果となっていたのである。
【０００６】
【課題を解決するための手段】
そこでこの発明に係る食品類茹で又は揚げ装置は前記の課題を解決するために、煙管部を有する食品類茹で又は揚げ装置において、両端を開口し、かつ一部が前記煙管部内を経由してその両端を茹で槽又は揚げ槽内の茹で湯又は揚げ油に臨む茹で湯又は揚げ油迂回用パイプを配設したものである。
【０００７】
【発明の実施の形態】
次にこの発明に係る食品類茹で又は揚げ装置の実施の形態を図面にもとづいて述べると、１はそれ自体は従来例と同様に箱状に形成した茹で槽又は揚げ槽であり、２はこの茹で槽又は揚げ槽１の下方に配設したガスバーナーである。
【０００８】
３は前記茹で槽又は揚げ槽１の一方の側壁内に形成した上部開放型の煙管部であり、この煙管部３は前記茹で槽又は揚げ槽１に配設した前記ガスバーナー２と連通している。したがって本件発明にあってもガスバーナー２から発する熱は、前記煙管部３を経由して上方に発散されることになる。
【０００９】
４は例えばＵ字状に形成した茹で湯又は揚げ油迂回用パイプであり、この茹で湯又は揚げ油迂回用パイプ４の両端は開口５してある。この茹で湯又は揚げ油迂回用パイプ４の最も単純な形状としては前記のようにＣ字状に形成してあり、その両端に存在する開口５が茹で槽又は揚げ槽１の茹で槽又は揚げ槽１内の茹で湯又は揚げ油中に臨ませ、他の部分は煙管部３内に位置せしめているのである。また前記茹で湯又は揚げ油迂回用パイプ４の両端を除くほとんどが煙管部３に収納されさえすれば、Ｃ字状に限るものではなく、例えば蛇行状又は螺旋状に形成することがある。蛇行状又は螺旋状に形成することによって茹で湯又は揚げ油迂回用パイプ４の長さを長くすることができ、その結果、煙管部３から出る廃熱により茹で湯又は揚げ油迂回用パイプ４内の茹で湯又は揚げ油の加熱時間を長くすることができるのである。
【００１０】
また鍋状の茹で槽又は揚げ槽１は図４に示すようにガスバーナー２内蔵の架台６に茹で槽又は茹で槽１となる茹で鍋又は揚げ鍋をセットするとともに、この茹で鍋又は揚げ鍋の外壁に前記と同様にＣ字状に形成した茹で湯又は揚げ油迂回用パイプ４を配設してある。この場合も茹で湯又は揚げ油迂回用パイプ４の開口５の部分は茹で槽又は揚げ槽１となる茹で鍋又は揚げ鍋中の湯又は揚げ油中に臨むように配設してある。また架台６の上端には、適宜の間隔を保持して凹部７を形成してあるので、この凹部７が煙管部３の出口として作用をなしている。
【００１１】
いずれのものにおいても、茹で作業時において茹で湯又は揚げ油迂回用パイプ４の一方の開口５から進入し、他方の開口５から排出するが、その過程において煙管部３内を通るため、煙管部３内の過熱された廃熱によって加熱され、加熱された茹で湯又は揚げ油が茹で槽１内に移動することになる。すなわち従来、外部に放散されていた廃熱が茹で湯又は揚げ油加熱用として用いることができるのである。
【００１２】
【発明の効果】
前記のようにこの発明に係る食品類茹で又は揚げ装置によれば、煙管部を有する食品類茹で又は揚げ装置において、両端を開口し、かつ一部が前記煙管部内を経由してその両端を茹で槽又は揚げ槽内の茹で湯又は揚げ油に臨む茹で湯又は揚げ油迂回用パイプを配設てあるので、従来、廃熱として外部に放出していた熱を茹で湯又は揚げ油の加熱用に用いることができ、その結果、ガスバーナーから出る火力を抑えても煙管部から出る廃熱により茹で湯又は揚げ油の高温化を図ることができ、燃料ガスの節約を図ることができるという効果を有するのである。
【図面の簡単な説明】
【図１】この発明に係る食品類茹で又は揚げ装置の一例を示す断面図である。
【図２】この発明に係る食品類茹で又は揚げ装置に用いる茹で湯又は揚げ油迂回用パイプの一例を示す斜視図である。
【図３】この発明に係る食品類茹で又は揚げ装置に用いる茹で湯又は揚げ油迂回用パイプの他例を示す斜視図である。
【図４】この発明に係る食品類茹で又は揚げ装置の他例を示す断面図である。
【符号の説明】
１  茹で槽又は揚げ槽
２  ガスバーナー
３  煙管部
４  茹で湯又は揚げ油迂回用パイプ
５  開口
６  架台
７  凹部
【図１】
2004337407.tif 000003
【図２】
2004337407.tif 000004
【図３】
2004337407.tif 000005
【図４】
2004337407.tif 000006
(57)【要約】【課題】粉砕設備の新増設、製品タンク増設時、製品粉体を空気移送で行なう場合、排出する含塵空気処理のため、集塵機の設置が必要となる。集塵機は運転、保守管理費用が必要で、故障時、環境中に粉塵を放出する危険がある。【解決手段】製品貯蔵タンク付随の集塵機を省略し、製品移送用空気を環境内に放出せず、移送空気戻し管を通して、粉砕機空気循環ラインに送入する。【選択図】    図１
2004337689.tif 000002
【特許請求の範囲】
【請求項１】
空気循環ラインを有する粉砕設備に於ける、空気移送方式により製品粉体を製品貯蔵タンクに移送時、送り込みに使用した空気は、若干の粉塵を含んで製品貯蔵タンクより排出する。この含塵空気の処理に、移送空気戻し管を設備し、粉砕機空気循環ラインの排出口と、粉砕機の間に送り込むことにより、製品貯蔵タンクから排出される含塵空気の、浄化用集塵機を省略することを特徴とする粉体移送装置。
【請求項２】
製品粉体移送管の製品貯蔵タンク入口に、サイクロンを設置することを特徴とする請求項１の粉体移送装置。
【請求項３】
空気戻し管合流点直前に、逆止弁を設けることを特徴とする請求項１、２の粉体移送装置。
【発明の詳細な説明】
【０００１】
【発明の属する技術分野】
本発明は、空気循環ラインを有する粉砕機に於ける、空気移送方式による製品粉体移送設備での省設備、省エネルギー、省力、環境への粉塵放出防止に関する。
【０００２】
【従来の技術】
図４は従来技術を示す、粉砕機１で粉砕された製品粉体は、排風機８による循環気流に乗り、製品捕集機２まで移送される、ここで循環気流より分離された製品粉体は、ルーツブロア３で作られた空気流に乗り、移送管４を通して移送し、三方弁５にて送り込む製品貯蔵タンクを選定（複数のタンクがある場合）し、選定した製品貯蔵タンク６に移送する、タンクより放出される若干の粉塵（製品粉体）を含む移送用空気の処理は、製品貯蔵タンク６毎に、集塵機１１を設置し、、集塵機１１を通して粉塵を除去した後、環境中に放出していた。集塵機１１の運転動力が必要なことは勿論のこと、環境中に粉塵を出さないためには、集塵機の濾過材定期交換を含めた、保守管理が欠かせなかった。
【０００３】
【発明が解決しようとする課題】
しかしながら、以上の従来技術によれば、空気循環ラインを有する粉砕設備に於ける製品粉体を、空気移送方式により、製品貯蔵タンクに移送時、送り込みに使用した空気は、若干の粉塵を含んで製品貯蔵タンクより排出する、この排出空気を集塵機を通して、粉塵を除去した後、環境中に放出する。既設粉砕機製品移送装置の集塵機、粉砕機の新増設、製品貯蔵タンク増設に付随して、設置する集塵機及びその制御装置、それら集塵機を運転する為の運転管理、運転動力、集塵機の濾過材破損時、環境中に粉塵が放出される危険防止の為、濾過材の定期交換を含む保守管理、その労力も必要としています。
【０００４】
そこで、この発明は、このような従来技術の有する課題に鑑みてなされたもので、目的とするところは、省設備、省エネルギー、省力化、環境維持を行い、コストダウン可能な、空気循環ラインを有する粉砕設備に於ける、製品粉体移送装置を提供することを課題とする。
【０００５】
【課題を解決するための手段】
以上の課題を解決するために、請求項１の発明は、空気循環ラインを有する粉砕設備に於ける、空気移送方式により、製品粉体を製品貯蔵タンクに移送時、送り込みに使用した空気は、若干の粉塵を含んで製品貯蔵タンクより排出する。この含塵空気の処理に、移送空気戻し管を設備し、粉砕機空気循環ラインの排出口と、粉砕機の間に送り込むことにより、製品貯蔵タンクから排出される含塵空気の、浄化用集塵機を省略することを特徴とする粉体移送装置。
【０００６】
請求項２の発明は、製品粉体移送管の製品貯蔵タンク入口に、サイクロンを設置することを特徴とする請求項１の粉体移送装置。
【０００７】
請求項３の発明は、空気戻し管合流点直前に、逆止弁を設けることを特徴とする請求項１、２の粉体移送装置。
【０００８】
【発明の実施の形態】
本発明を実施するに当たり、配管の材質は問わない、鋼、ステンレススチール、プラスチック等粉体に適合した材質を使用する、移送粉体は無機、有機何れでもよく、工業用原材料、薬品、各種顔料、填料、食品、飼料、肥料など好適なものは、鉱物粉体である。
【０００９】
【実施例１】
この発明の実施例１を、図１に示す。空気循環ラインを有する粉砕設備（粉砕機の種類は問わない）の、空気移送方式による製品粉体移送の一実施例概略図である。粉砕機１で粉砕された製品粉体は、排風機８による循環気流に乗り、製品捕集機２まで移送される、ここで循環気流より分離された製品粉体は、ルーツブロア３で作られた空気流に乗り、移送管４を通して移送し、三方弁５にて送り込む製品貯蔵タンクを選定（複数のタンクがある場合）し、選定した製品貯蔵タンク６に移送する、タンクより放出される若干の粉塵（製品粉体）を含む移送用空気の処理は、環境中に放出せず、本発明により設置した移送空気戻し管７を通して、空気循環ライン１２の排気口９と粉砕機１の間に送入する、これによりタンク排出空気浄化用集塵機１１（図４の）は省略可能となった。タンク排出空気送入による、空気循環ライン１２の空気バランスに変化はない、送入した分だけ余剰となる空気は、排気口９より自動的に排出調節される。粉砕機内は負圧になっているので、含塵空気が逆流し排気口より排出されることはない。粉砕機は被砕物を投入し粉砕しているところであり、そこへ若干の製品粉塵を含んだ空気の送入は、粉砕能力に影響を与えない。
【００１０】
【実施例２】
実施例２を図２に示す。製品貯蔵タンクよりの排出空気含塵濃度が高い場合（比重の軽い粉体等は高くなる場合がある）、粉体移送管の製品貯蔵タンク６入口にサイクロン１３を設置することによって、排出濃度を低減させる。
【００１１】
【実施例３】
実施例３を図３に示す。製品粉体の品質、なかでも色調が異なる場合は移送空気戻し管７への合流直前に、逆止弁１０を付け、微量混入の危険を防止する。
【００１２】
【発明の効果】
以上説明したように、この発明によれば、空気循環ラインを有する粉砕設備に於ける空気移送方式による、製品粉体移送設備の集塵機を省略することにより、制御装置を含めた設備費、濾過材など交換が必要な消耗品費、動力費、保守管理費、人件費が節減できる。濾過材破損による環境中への粉塵放出は無くなり、設備費及び製造原価低減に寄与し、環境も維持できる。
【図面の簡単な説明】
【図１】この発明の一実施形態を示すフローシートである。
【図２】請求項２のサイクロン１３の設置図である。
【図３】請求項３の逆止弁１０の設置図である。
【図４】従来技術を示すフローシートである。
【符号の説明】
１  粉砕機
２  製品捕集機（バグフィルター）
３  ルーツブロア
４  移送管
５  ３方弁
６  製品貯蔵タンク
７  移送空気戻し管
８  排風機
９  排気口
１０  逆止弁
１１  集塵機
１２  空気循環ライン
１３  サイクロン
【図１】
2004337689.tif 000003
【図２】
2004337689.tif 000004
【図３】
2004337689.tif 000005
【図４】
2004337689.tif 000006
(57)【要約】      （修正有）【課題】煮炊を終えた後とか、食べ物を鍋に入れたまま鍋蓋をしても蒸れなく、又鍋蓋を開けておいても、異物や虫が入らず、更に杓子を入れたまま使用出来る鍋蓋を提供する。【解決手段】網目張り鍋蓋を使用する事により、食べ物を鍋にいれたままでも、蒸れを防ぎ、異物や虫が入るのを防止できる。又杓子を鍋に入れたままでも使用できる。【選択図】    図１
2004337624.tif 000002
【特許請求の範囲】
【請求項１】
鍋の中の食べ物が蒸れるのを防ぎ、虫の侵入を防ぐのを目的とする、杓子を鍋に入れたまま使用出来る、網目張りの鍋蓋。
【発明の詳細な説明】
【技術分野】
【０００１】本発明は、鍋の中の食べ物が、既存の鍋蓋をしておくと蒸れるが、網目張り鍋蓋を使用することにより防止でき、又虫の侵入も防ぐ事が出来る。
【背景技術】
【０００２】煮炊きした後や、食べ物を鍋に入れたまま既存の鍋蓋をしておくと、蒸れて困る場合がある。そのために鍋蓋をあけておくと、何かの弾みで異物が入ったり、虫が入って困る。網目張り鍋蓋を使用すると通気性が有るので蒸れなく、虫の侵入も防止できる。鍋蓋の一部に杓子を鍋に入れたままでも柄の部分が入る様な切れ込みをつくってある。
【発明の開示】
【発明が解決しようとする課題】
【０００３】煮炊きした後や、食べ物を鍋に入れたまま既存の鍋蓋をしておくと、蒸れて困る場合がある。又鍋蓋を開けておくと、何かの弾みで異物が入ったり、虫が入って困る。
【課題が解決するための手段】
【０００４】食べ物を鍋に入れたまま、網目張り鍋蓋を使用する事により、食べ物の蒸れや虫の侵入を防ぐ事が出来る。又杓子を鍋に入れたまま鍋蓋ができて、課題が解決できる。
【発明の効果】
【０００５】食べ物が入った鍋に杓子を入れたまま鍋蓋が出来る本発明の網目張り鍋蓋を使用する事により、鍋の中の食べ物が蒸れなく、異物が入ったり虫が入るのを防止できる。
【０００６】本発明の材質は、主にステンレスを使用し、鍋蓋の直径のサイズは、使用する鍋に合わせて制作する。鍋蓋の補強のフレームは適所に使用し強度を持たせて長期の使用に耐える様にする。又フレームの鍋に接する一カ所に杓子の柄が入る大きさの切り込みを作っておく。これらの作りにより使用勝手がよい。尚、此の網目張り鍋蓋は、ざる、丼などの他の器の蓋としても利用できる。
【０００７】本発明の使用は、煮炊きが終わったあとで使用するので、特に注意することはない。
【実施例】
【０００８】図１のとおりである。
【図面の簡単な説明】
【０００９】
【図１】本発明の斜視図。
【図２】本発明の上から見た平面図。
【図３】本発明の側面図。
【符号の説明】
【００１０】１  網目張りの部分
２  補強フレーム
３  鍋蓋の周囲のフレーム
４  つまみ
５  杓子の柄が入る切れ込み
Ａ  鍋
Ｂ  杓子
【図１】
2004337624.tif 000003
【図２】
2004337624.tif 000004
【図３】
2004337624.tif 000005
(57)【要約】【課題】  以前から環境保護のために箸を携帯化させる事が課題であった。携帯箸はあったものの箸に対する愛着が弱いと言う難点があった。そのために、自分で箸にネイルアートを描くことにより、自分だけの箸と言う認識と愛着を持たせる箸を提供する事を課題とする。【解決手段】  箸本体１から、カット部分２を斜めにカットする事ににより、そこに爪じょうの断面３を作ることにした。また３の部にネイルアートを描く事により、自分独自の箸と言う認識と愛着を持たせるようにする。【選択図】  図１
2004337620.tif 000002
【特許請求の範囲】
【請求項１】
箸の上部を斜めにカットする事により、その部分に指先の爪じょうの断面を作りその部分にネイルアートを描く行為。
【発明の詳細な説明】
【技術分野】
【０００１】  本発明は、箸に愛着を持たせ携帯化させるために、箸の上部を斜めにカットし、カットした部分に指先の爪じょうの断面を作る。そして、その爪じょうの断面にネイルアートを描かせる事により愛着を持たせ携帯化させるようにしたもの。
【背景技術】
【０００２】  従来、箸や携帯箸の上部を斜めにカットして、そこにネイルアートを描かせる箸は無かった。
【発明の開示】
【発明が解決しようとする課題】
【０００４】  以前から環境保護のために、箸を携帯化させることが課題であった。
携帯箸はあったものの、箸に対する愛着が弱いと言う難点があった。
本発明はこの課題を解消するためになされたものである。
【課題を解消するための手段】
【０００５】  箸本体１から、カット部分２を斜めにカットすることにより、そこに爪じょうの断面３を作る事にした。また３の部分にネイルアートを描く事により、自分独自の箸と言う認識と愛着を持たせるようにした。
【発明の効果】
【０００６】  爪じょうの断面３を作る事により、自分独自のネイルアートを描く事が出来るので自分だけの著と言う認識と箸に対しての愛着が持てる。
以下、本発明の実施の形態について説明する。
（イ）箸本体１からカット部分２をカットする。
（ロ）カット部分２をカットする事により、爪じょうの断面３を作る。
【実地例１】
【０００７】  形状は、箸そのものであり著本体１から、カット部分２をカットする事にとより爪じょうの断面３を作る。
【図面の簡単な説明】
【０００８】
【図１】  本発明の正面図である。
【図２】  本発明の使用状態を示す断面図である。
【符号の説明】
【０００９】１  箸本体
２  カット部分
３  爪じょうの断面
【図１】
2004337620.tif 000003
【図２】
2004337620.tif 000004
(57)【要約】【課題】理容室・美容室等が散髪用に用いる椅子の形状は、とくに普通の椅子となんら変わりがなく、顧客が自分の意思で頭の位置を固定させなくてはならず、首の疲労、緊張からのストレスがあり、また、施術者にとっても子供や居眠りする顧客への施術は難しかった。【解決手段】椅子に顔置き台を設ける。顔置き台は例えば、椅子から伸びた左右からなる顔置き台支点２・顔置き台３である。【選択図】図１
2004337564.tif 000002
【特許請求の範囲】
【請求項１】
美容室、理髪店等で散髪をする際に頭を固定する台を設けたことを特徴とする椅子。椅子に顔置き台を設け、散髪中の頭を固定。と同時に首をリラックスさせ、マッサージ機能により顎のラインのシェイプアップをはかる。
【請求項２】
椅子に顔置き台を設け、この顔置き台は椅子の手置き部分左右から伸びた台で高さや角度や位置の調節が椅子に取り付けられたスイッチを操作する事により電動式で調整出来、顎をのせて使用する。散髪中の頭を固定すると同時に首をリラックスさせる。また、顔と顔置き台の接地面にはマッサージ機能を備え、電動バイブ振動により顎のラインのシェイプアップをはかる事を特徴とする請求項１の記載の顔置き台。
【発明の詳細な説明】
【０００１】
【発明の属する技術分野】
この発明は、美容室や理髪店等の散髪に用いる椅子に関する。
【０００２】
【従来の技術】
従来の美容室や理髪店等の散髪は、椅子に座った固定客が自分で姿勢を整える必要があった。美容室や理髪店等の散髪に用いる椅子の形状は、図２に示すように何も設けられていない。
【０００３】
【発明が解決しようとする課題】
しかしながら、以上の従来技術によれば、顧客が自分で姿勢を保つ事から常に首に緊張感が走り、その為に首の疲労を起こし、特に子供や居眠り等による頭の揺れなどは施術者にとって、不安材料であった。そこで、この発明は、頭を固定し、より正確で安全な施術を提供することを課題とする。
【０００４】
【課題を解決するための手段】
以上の課題を解決するために、請求項１の発明は、美容室、理髪店等で頭を固定し散髪をすることを特徴とし、同時に顔をマッサージする顔置き台である。
また、請求項２の発明は、この顔置き台は椅子の手置き部分左右から伸びた台で高さや角度や位置の調節が椅子に取り付けられたスイッチを操作する事により電動式で調整出来、顎をのせて使用する。散髪中の頭を固定すると同時に首をリラックスさせる。また、顔との設置面にはマッサージ機能を備え電動バイブ振動により顎のラインのシェイプアップをはかる事を特徴とする顔置き台である。
【０００５】
【発明の実施の形態】
この発明の一実施形態を、図１に示す。
顔置き台の本体１は椅子であり、顔置き台支点２は、はじめは天井に向かって伸びており、顧客が椅子に座って図１のようになり、背面に取り付けられたスイッチを操作する事により電動で顔置き台支点２の前後、左右、高低、角度を変える事が出来る。顔置き台支点２の先には顔置き台３があり、背面に取り付けられたスイッチを操作する事により角度を変える。また、内部にバイブレーション機能を内蔵している。これもまた椅子背面のスイッチを操作する事により、振動パターン、時間、強弱を調節する事が出来る。
【０００６】
「実施形態の効果」
この実施形態によれば、顔置き台２と顔置き台３により顔が居眠り等で動かなくなる。したがって、顔が固定される。
【０００７】
「他の実施形態」
図１の実施形態では、顔置き台は左右からなる２枚の顔置き台３であったが、他の実施形態では、顔置き台は左右からなる一枚の板状のものでも良い。また、図１の実施形態では、顔置き台は椅子と一体だが、現存する椅子に顔置き台を後付けして一体化するタイプのものでもよい。
【０００８】
【発明の効果】
以上説明したように、この発明によれば、美容室、理髪店等で散髪中の頭を固定することを特徴とする顔置き台を設けたので、幼児や居眠りする顧客の頭が固定される。したがって、正確に安全に施術できる。
【０００９】
また、顧客にとっても施術者に気を使わずにすみ、さらに顎のラインのシェイプアップにもなる。
【図面の簡単な説明】
【図１】この発明の一実施形態を示す斜視図である。
【図２】従来技術を示す斜視図である。
【図３】この発明の使用を説明する斜視図である。
【符号の説明】
１  椅子本体                    ２  顔置き台支点
３  顔置き台
【図１】
2004337564.tif 000003
【図２】
2004337564.tif 000004
【図３】
2004337564.tif 000005
(57)【要約】      （修正有）【課題】文字や絵が上手く、正確に書けるようになる。【解決手段】ハンドクリップ握力トレーニング器の１方の柱を長くし土台に固定する。そして、親指は動かさず残り４本の指だけ動かすように意識しトレーニング（握力）を行う。こうする事で文字や絵（ボールペン画等）を書く時、指先や腕がスムーズに動くようになる。練習を始めて１〜２週間で効果が出始め自分の思った通りにペン先が動いてくれる。【選択図】図１
2004337570.tif 000002
【特許請求の範囲】
【請求項１】
一方の握り棒を長くしたハンドクリップ握力トレーニング器具を作り、長い方の棒を土台に固定する、そして親指は動かさず（完全固定）残り４本指だけで握力トレーニングを行う。
【請求項２】
この１種類の握力トレーニングだけで文字や絵を書く時、指先や腕が正確にスムーズに動く。
【発明の詳細な説明】
【０００１】
【発明の屋する技術分野】
本発明は１種類のごく単純な握力トレーニングにより、指先や腕が思った通りにスムーズに動くようになり、文字や絵を書く時、非常に役立つものである。
【０００２】
【従来の技術】
従来は、１種類のごく単純な筋力トレーニングだけで文字や絵が上達する技術はなかった。
【０００３】
【特許文献１】
特開平０８−０１６０９４
【０００４】
【発明が解決しようとする課題】
文字や絵があまり上手でない人は自分の思った通りに指や腕が動いてくれず、美しい文字や絵がうまく書けない本発明はこの課題を解消する為になされたものである。
【０００５】
【課題を解決する為の手段】
親指を動かさない握力トレーニングで文字や絵が正確に書ける腕の筋肉作りを行う。
【０００６】
【発明実施の形態】
本発明は、親指以外の４本指で握力トレーニングを行うものである。その為ハンドクリップ握力器の片方の棒を長くして土台に固定。その結果４本指だけでバーを引く握力トレーニングを行うものである。
【０００７】
【発明の効果】
非常に簡単なトレーニングで文字や絵が上手く書けるようになる。以前字が大変下手だった私は文章を書くのが楽くなった。
このトレーニングで文字や絵があまり上手でない人も１００点とはいかなくとも７０点くらいになると思う。
【図面の簡単な説明】
【図１】本発明の正面図である
（親指を固定し残りの４本指だけでバーを引いている。）
【図１】
2004337570.tif 000003
(57)【要約】【課題】雪上滑走用具のワックス塗布時等において、温度分布を視覚により簡単に観測できる方法を得る。【解決手段】雪上滑走用具のソール２、コア３及びデッキ４を形成する部材にサーモクロミック材料１を使用する。【選択図】    図１
2004337568.tif 000002
【特許請求の範囲】
【請求項１】
サーモクロミック材料を使用した雪上滑走用具
【発明の詳細な説明】
【０００１】
【発明の属する技術分野】
本発明は、雪上滑走用具に関する。
【０００２】
【従来の技術】
従来の雪上滑走用具は、非サーモクロミック材料を使用している。
【０００３】
【発明が解決しようとする課題】
従来の雪上滑走用具にあっては、ワックス塗布時等において、雪上滑走用具の温度分布を観測する場合は、手等の温度感覚により温度分布を推定していたため、雪上滑走用具の温度分布と一致しないという問題点があった。
【０００４】
本発明は、ワックス塗布時等において、温度分布を視覚により容易に観測できる雪上滑走用具を提供することを目的としている。
【０００５】
【課題を解決するための手段】
上記目的を達成するために、本発明の雪上滑走用具は、サーモクロミック材料を使用したものである。
【０００６】
上記サーモクロミック材料を使用する箇所は、雪上滑走用具の適当な箇所とすることが可能であるが、ソール側から見える箇所の広域に使用するとよい。
【０００７】
上記サーモクロミック材料は可逆性サーモクロミック材料を使用すると効果的である。
【０００８】
上記可逆性サーモクロミック材料はヒステリシスが小さいほど好ましい。
【０００９】
上記可逆性サーモクロミック材料を使用すると、雪上滑走用具の温度分布を逐次表示するように働く。
【００１０】
【発明の実施の形態】
発明の実施の形態を実施例にもとづき図面を参照して説明する。
【００１１】
【実施例】
図１において、雪上滑走用具のソール２、コア３及びデッキ４を形成する部材にサーモクロミック材料１を使用している。
【００１２】
図２において、スノーボードのソール２、コア３及びデッキ４を形成する部材にサーモクロミック材料１を使用している。
【００１３】
図３において、スキーのソール２、コア３及びデッキ４を形成する部材にサーモクロミック材料１を使用している。
【００１４】
【発明の効果】
本発明は、以上説明したように構成されているので、以下に記載されるような効果を奏する。
【００１５】
雪上滑走用具のソール、コア及びデッキを形成する部材にサーモクロミック材料を使用することにより、ワックス塗布時等において、温度分布を逐次表示できるので、温度分布の視覚による観測が容易にできる。
【００１６】
スノーボードのソール、コア及びデッキを形成する部材にサーモクロミック材料を使用することにより、ワックス塗布時等において、温度分布を逐次表示できるので、温度分布の視覚による観測を容易にできる。
【００１７】
スキーのソール、コア及びデッキを形成する部材にサーモクロミック材料を使用することにより、ワックス塗布時等において、温度分布を逐次表示できるので、温度分布の視覚による観測を容易にできる。
【図面の簡単な説明】
【図１】雪上滑走用具の縦断面図である。
【図２】スノーボードの縦断面図である。
【図３】スキーの縦断面図である。
【符号の説明】
１  サーモクロミック材料
２  ソール
３  コア
４  デッキ
【図１】
2004337568.tif 000003
【図２】
2004337568.tif 000004
【図３】
2004337568.tif 000005
(57)【要約】【課題】弁当等に入れる調味料入れを提供する。【解決手段】調味料等を軟質合成樹脂シートで包み、被覆線材で止めたことを特徴とする弁当用調味料入れ。【選択図】  図１
2004337565.tif 000002
【特許請求の範囲】
【請求項１】
軟質合成樹脂シートの外周を上方に立ち上げ、被覆線材で該シートの上部を結束したことを特徴とする弁当用調味料入れ。
【発明の詳細な説明】
【０００１】
【発明の属する技術分野】
この発明は、主に弁当等の中に入れる調味料入れに関する。
【０００２】
【従来の技術】
従来より、弁当用調味料入れは存在したが、ビンの形で蓋付の物やビニールパックで出来ている物が大半であり、本発明が示すように、包む方式の物は現在のところ見当たらない。
【０００３】
【発明が解決しようとする課題】
調味料を小さなタレビンに移す際に、調味料がこぼれやすく手に付いたりする。他の器にいったん移してから吸引したりと手間がかかる。スポイトもあるが使用後きれいに洗うのが難しく不衛生である。ビニールパックの場合、開けずらかったり開けたときに中身が飛び散ったりする場合もある。小さな容器でフタの付いたものもあるが弁当の中でかさばり、また小さいので洗うのが面倒である。
本発明は、以上のような従来からの弁当用調味料入れに関わる課題を解決するために発明されたものである。
【０００４】
【課題を解決するための手段】
本発明は、軟質合成樹脂シートで調味料を包み被覆線材で止めた。
本発明は、以上のような構成よりなる弁当用調味料入れである。
【０００５】
【発明の実施例】
以下、本発明の実施例について説明する。
図において、１は軟質樹脂シートで例えばポリエチレンでも良い、略円形のほかに角型でも良い、色付きでも透明でも良い。２は被覆線材で、細い針金３が芯になってビニールで覆ってあり市販のものでいろいろな色や柄があり自在に折り曲げたり伸ばしたりすることができる。まず該シートに調味料をのせ外周を上方に立ち上げ上部を絞り、次に絞ったところに被覆線材をまわしてねじり止めする。以上が本発明の実施例である。
本例の使用時は、弁当箱等の中に入れるために該シートを広げて置き中央に調味料等を適量のせ該シートの外周を上方に立ち上げ上部から少し下がったところを絞り、絞ったところに被覆線材をまわしねじり止めする。この状態で被覆線材は該シート内の調味料等を閉じ込めている。それを弁当箱の中に入れ食べるときに被覆線材を外して食品にかけたりして食べる。
【０００６】
【発明の効果】
本発明は、弁当箱の中やオードブル等に添える調味料を調味料容器に移すときに、手や他の容器を汚さずまた弁当箱の中でかさばることもない。例えばケチャップを包んだときに緑色の軟質線材で止めるとミニトマトのようにも見え、弁当の彩りが少ないときには色々な色の軟質線材を便うとアクセントにもなる。使用するときは軟質線材を外し食品にかけたり、包みを広げて調味料に食品をつけるのも良い。またつまようじの様な先のとがったもので該シートを刺し穴を開けて食品にかけても良い。また漬物や果物等においのある食品を包むと他の食品ににおいが移る心配がなくなる。更に汁気のある惣菜を包むと汁の流出を防ぐことができる。外にもソース、マヨネーズ、タルタルソース、ドレッシング、ふりかけ、ゼリー等がある。弁当を作ったときに予め惣菜にソース等をかけておくと時間がたつと食感を損なうが、この発明だと食事のときにかけるので食感が損なわれない。使用後は捨てるので衛生的である。
本発明は、これらの効果をもたらすものである。
【図面の簡単な説明】
【図１】本発明の使用状態説明図
【図２】本発明シートの平面図
【図３】本発明シートの断面図
【図４】本発明被覆線材の平面図（一部略）
【図５】本発明被覆線材の拡大右側面図
【図６】本発明被覆線材の正面図（一部略）
【符号の説明】
１  軟質合成樹脂シート
２  ビニール
３  針金
【図１】
2004337565.tif 000003
【図２】
2004337565.tif 000004
【図３】
2004337565.tif 000005
【図４】
2004337565.tif 000006
【図５】
2004337565.tif 000007
【図６】
2004337565.tif 000008
(57)【要約】【課題】つくしのはかまを簡単に手早く、短時間できれいに取り除ける器具を提供する。【解決の手段】器具本体（１）を、Ｕ字形に曲げて製作し、その上部を細くして、わん曲部（２）を設け、そのわん曲部（２）には、切刃部（３）を設けて、つくしのはかまを手早く、簡単に取り除けるようにしたことを特徴とする。【選択図】  図  １
2004337569.tif 000002
【特許請求の範囲】
【請求項１】
つくしのはかまを簡単に取り除くことが出来るようにした、つくしのはかま取り器
【発明の詳細な説明】
【０００１】
【発明の属する技術分野】
本発明は、つくしのはかまを簡単に取り除くことができるようにしたものである。
【０００２】
【従来の技術】
従来は、つくしのはかまを手でむしって取り除いていた。
【０００３】
【発明が解決しようとする課題】
つくしのはかまは、手でむしって取り除いてもきれいには取り除けず、時間もかかり労力を要していた。本発明はこの課題を解決するためになされたものである。
【０００４】
【課題を解決するための手段】
本体（１）の上部に、わん曲部（２）を設け、そのわん曲部（２）には、切刃部（３）を設ける。
本発明は、以上の構成よりなる、つくしのはかま取り器である。
【０００５】
【発明の実施の形態】
以下、本発明の実施の形態について説明する。
（イ）器具本体（１）は、Ｕ字形に曲げて製作し、その上部の先端を細くし、わん曲部（２）を設ける。
（ロ）わん曲部（２）には、切刃部（３）を設ける。
本発明は、以上のような構造で、これを使用するときは、本体（１）を手で持ち、わん曲部（２）につくしを入れて、軽るくはさんではかまの上部から下部へむけて、切刃部（３）で削ぎ取る。
【０００６】
【発明の効果】
つくしのはかまを、手早く簡単で、かつきれいに、短時間で取り除くことができる。
【図面の簡単な説明】
【図１】本発明の斜視図である。
【図２】本発明の正面図である。
【図３】本発明の側面図である。
【符号の説明】
１  本体
２  わん曲部
３  切刃部
【図１】
2004337569.tif 000003
【図２】
2004337569.tif 000004
【図３】
2004337569.tif 000005
(57)【要約】【課題】食品保存袋へ汁物食品を移入する際、お玉から落ちる汁物食品の周囲の汚れ。食品保存袋の縁、食品保存袋を持つ手に汚れが付いてしまうのを防ぐようにした、食品保存袋への汁物食品移入器具を提供する。【解決手段】上覆い蓋（１）の形状に直線部（５）を持つひさし（２）を設け、鍋に沿いやすくして、その一部に隙間（４）と、隙間端部に指つまみ部（３）を付けて上覆い蓋が伸縮して、取り付け、取り外し、を容易にした。脚付き台（６）の蓋はめ込み部に隙間（７）を設け食品保存袋の出し入れを容易にした。折たたみ式脚（８）にスライド部（９）を設け、袋の大小を問わずに使用でき、脚付き台（６）の枠（１０）に食品保存袋を折って装着して、上覆い蓋（１）を装着することを特徴とする。【選択図】  図１
2004337544.tif 000002
【特許請求の範囲】
【請求項１】
上覆い蓋（１）の形状に、直線部（５）を持つひさし（２）を設け、その一部に隙間（４）を設け、隙間端部に指つまみ部（３）を設け、脚付き台（６）の蓋はめ込み部に隙間（７）を設け、折たたみ式脚（６）にスライド部（９）を設け、脚付き台（６）に上覆い蓋（１）を装着して、食品保存袋に汁物を移入する器具。
【発明の詳細な説明】
【０００１】
【発明の属する技術分野】
この発明は、汁物食品を食品保存袋に移入する際、鍋から汁物食品を清潔かつ容易に移入するための器具に関するものである。
【０００２】
【従来の技術】
従来は食品保存袋の口を外側に折りたたんで、口を広げて、その端を手で持って、汁物食品を鍋から、お玉で移入していた。
【０００３】
【発明が解決しようとする課題】
これは次のような欠点があった。
口を外側に折りたたんだ食品保存袋に、鍋からお玉で汁物食品を移入する際、お玉から汁をこぼして周囲を汚す。食品保存袋を持つ手に汁物食品が付着する。食品保存袋に食品が付着して、口を閉じるときに障害となる。それは口を閉じる前に食品を拭き取らねばならず極めてわずらわしい作業であった。
本発明は以上のような障害を取り除くためのものである。
【０００４】
【課題を解決するための手段】
上覆い蓋（１）の形状に、直線部（５）を持つひさし（２）を設け、その一部に隙間を設け（４）、隙間端部に指つまみ部（３）を設け、脚付き台（６）の蓋はめ込み部に隙間（７）を設け、折たたみ式脚（８）にスライド（９）部を設け、脚付き台（６）に上覆い蓋（１）を装着して、食品保存袋に汁物を移入する。
本発明は、以上の構成よりなる食品保存袋に汁物食品を移入する器具である。
【０００５】
【発明の実施の形態】
以下、本発明の実施の形態について説明する。
上覆い蓋（１）の形状に直線部（５）を持つひさし（２）を設ける。その一部に隙間を設け（４）、隙間端部に指つまみ部品（３）を設け、脚付き台（６）の蓋はめ込み部に隙間（４）を設け、折たたみ式脚（８）にスライド（９）部を設け、脚付き台（６）に上覆い蓋（１）を装着して、食品保存袋に汁物を移入する器具。
本発明は以上のような構造でこれを使用するときは、以下のように使用する。
【１】脚付き台（６）に装着されている上覆い蓋（１）の、隙間端部の指つまみ部（３）を指で挟み、上覆い蓋（１）の隙間を縮めるようにして持ち、上覆い蓋（１）をはずす。
【２】折りたたみ式脚（６）を起こして、食品保存袋の大きさに合わせて脚をスライド（９）する。
【３】脚付き台の隙間（７）から、口を開いた食品保存袋を入れて、脚付き台の（６）枠（１０）に沿って食品保存袋の閉じ口まで折り込むように装着する。
【４】上覆い蓋（１）を取り付ける。
【５】上覆い蓋（１）の直線部（５）を鍋に沿わせてお玉等で食品を移入する。こうして食品保存袋に汁物食品を移入した後、
【６】食品保存袋の、脚付き台（６）隙間部（７）から余って出ている食品保存袋を持ち、上覆い蓋（１）をはずす。
【７】脚付き台（６）隙間部（７）から食品保存袋を横にスライドするように取りはずし、食品保存袋の蓋を閉じる。
こうして使用する事によって汁物食品がこぼれても、すべて上覆い蓋（１）が汁物食品を受けて周りが汚れることは無く、袋の縁も上覆い蓋（１）が覆っているので汚れることは無い。使用後は、汚れた上覆い蓋（１）だけを洗浄するだけでよい。
【０００６】
【発明の効果】
本発明品を使用して食品保存袋に汁物食品を移入する事により、
【１】清潔かつ容易に何回でも、上覆い蓋（１）を汚すだけで汁物食品を食品保存袋に移入することができる。
【２】使用後は、汚れた上覆い蓋（１）を、はずして洗浄するだけでよく、周囲、食品保存袋、指等を汁物食品で汚すことは無い。
【３】脚付き台（６）に隙間部（７）を設けた事によって食品保存袋の取り付け、取り外しが容易になる。
【４】脚付き台（６）の脚は折りたたみ（８）ができるので輸送と保管に便利である。
【５】脚付き台（６）にスライド（９）機構をもたせる事により袋の大小に合わせて使用できる。
【６】上覆い蓋（１）に指つまみ部（３）と隙間部（４）を設けた事により、上覆い蓋（１）の伸縮が可能になり、取り付け、取り外しが容易になった。
【７】上覆い蓋（１）に直線部（５）を設ける事により鍋に沿わせ易く、汁物食品が外にこぼれることが少なくなった。
【図面の簡単な説明】
【図１】本発明の分解斜視図である。
【図２】本発明の斜視図である。
【符号の説明】
１      上覆い蓋
２      上覆い蓋ひさし
３      上覆い蓋指つまみ
４      上覆い蓋隙間
５      上覆い蓋ひさし直線部
６      脚付き台
７      脚付き台隙間
８      脚付き台折りたたみ脚
９      脚付き台スライド脚
１０    脚付き台枠
【図１】
2004337544.tif 000003
【図２】
2004337544.tif 000004
(57)【要約】      （修正有）【課題】車イスに被介護者を乗降させる場合、被介護者とベット、イス、洋式便器、乗用車の座席等の間に挿入させ又は抜出することで、車イスに、人の力で被介護者を持ち上げる必要がなく乗降させる事ができる車イスを提供する。【解決手段】（イ）、車イスの座席の上部、下部のベルトが、正逆スイッチであるグリップ５を回すことで直流電動機が動き上記のベルトが作動し、被介護者とベット、イス、乗用車の座席等との間に挿入、抜出させ乗降させる。（ロ）、車イスの座席の高さを他のベット、イス、乗用車の座席との高さにあわせるために、油圧ポンプの機能を持つペダル９を踏んで油圧シリンダーを作動させ座席を揚げ、油圧弁と連動しているグリップ５回し座席を下げたりする。（ハ）、被介護者を搬送する場合、車イスの座席を９０°回転させセットし被介護者を正面にして搬送する。【選択図】  図１
2004337547.tif 000002
【特許請求の範囲】
【請求項１】
座席上部ベルト（１）座席下部ベルト（２）が直流電動機（１４）によって、ベルトコンベアー方式で動き、座席上部ベルト（１）の上面、座席下部ベルト（２）の下面が歯車（１８）、（１９）、で噛合することによって、前、後、同方向に動かし被介護者を車イスに昇降させる事ができる、介護用搬送、車イスである。
【請求項２】
すべり軸（６）を中心に座席を支える軸受Ａ（７）が回転し、座席（１）の角度を９０°に図１から図２の様に変えることができる、介護用車イスである。
【発明の詳細な説明】
【０００１】
【産業上の利用分野】
この発明は、被介護者を容易に車イスに乗降させるため座席とその底部シート（１），（２）を前方に動かして、被介護者とベット、イス、洋式便器、乗用車の座席等の間に挿入させ、乗せて、搬送でき、又は底部シートを後方に動かして、抜出させ、降ろす事ができる介護用車イスである。
【０００２】
【従来の技術】
従来、被介護者をベット、イス、洋式便器、乗用車の座席等から車イス等に乗降させ移動させる場合は、特に乗降の時は大部分は人力に頼っており、あるいは、大掛かりなクレーン方式によって行う場合や高額なロボット等があり。容易に被介護者を体重移動させるるものはなかった。
【０００３】
【発明が解決しようとする課題】
従来、被介護者をベットやイスから車イスに乗せて他の場所や洋式便器、乗用車等に移動させる場合その乗降には人の力によって行われているので、職業病としての腰痛や、女性や老人にとっては、一人では不可能な場合もあり、大変な負担になっていた。
【０００４】
【課題を解決する手段】
本発明は被介護者を簡単に、車イスに乗降させ、搬送するために次の様な機能を持つ車イスの事である。
（イ）ベット、イス、洋式便器、乗用車の座席等の高さに合わせて、高さを調整できる。
（ロ）車イスの座席の上下についたベルトが、直流電動機によって動き、車イスの座席を、被介護者とベット、イス、洋式便器、乗用車の座席との間に挿入し乗車させ、又は逆回転させ抜出して降ろす事ができる。
（ハ）被介護者の搬送時は、車イスの座席を９０°角度を変える事ができ被介護者を正面にして搬送する事ができる。
【０００５】
【作用】
被介護者をベット、イス、乗用車から車イス等に乗降させる時の体重移動を容易にでき、搬送することができる。
【０００６】
【実施例】
（イ）車イスを被介護者とベット、イス、他の座席に合わせ油圧シリンダーによって、油圧ポンプの役割のペダル（９）を踏み、当車イスの座席を揚げ、高さを調整しする。
（ロ）グリップ（５）（スイッチ）を左に回し、座席のベルトを作動させ、被介護者とベット、イス等の間に車イスの座席を挿入させ車イスにのせる。
（ハ）再びペダル（９）を踏み、被介護者を持ち上げる。
（ニ）持ち上げたまま、その位置から離れ、油圧弁と連動しているグリップ（５）を回し、座席を適宜の高さまで下げる、
（ホ）座席を回転させ、被介護者を正面に向け目的場所まで搬送する。
（ヘ）目的場所へ着いたら、座席を横に９０°回転させセットし、ペダルを踏んで高さを調整し、目的の場所の真上まで運ぶ。
（ト）座席を下に接触するまでグリップ（５）（油圧弁）を回し、所定の高さにセットする。
（チ）グリップ（４）を（ロ）の時の逆回し（右回り）させ、座席のベルトを後方に作動させ車イスの座席を抜出し被介護者を降ろす。
（リ）（イ）〜（チ）の順序で使用する。
【図面の簡単な説明】
【図１】本発明の斜視図（乗降時）である。
【図２】本発明の斜視図（搬送時）である。
【図３】本発明の座席部の平面図（一部ベルトを除く）である。
【図４】本発明の座席部の側面図である。
【図５】本発明の座席部の断面図（Ａ〜Ａ’矢視である）。
【符号の説明】
１  座席上部ベルト    ２  座席下部ベルト      ３  背もたれ
４  グリップ（油圧弁）５  グリップ（スイッチ）６  すべり軸
７  軸受（Ａ）        ８  油圧シリンダー      ９  ペダル
１０  後輪            １１  バッテリー        １２  前輪
１３  肘掛け          １４  直流電動機        １５  カバー
１６  ローラー（Ａ）  １７  ガイド            １８  歯車（Ａ）
１９  歯車（Ｂ）      ２０  軸受（Ｂ）        ２１  駆動ローラー
２２  Ｖベルト        ２３  ローラー（Ｂ）    ２４  軸受（Ｂ）
２５  踏み板
【図１】
2004337547.tif 000003
【図２】
2004337547.tif 000004
【図３】
2004337547.tif 000005
【図４】
2004337547.tif 000006
【図５】
2004337547.tif 000007